(57)【特許請求の範囲】
【請求項１】
帯電した色剤粒子を絶縁性液体中に分散して成る記録液を収容する収容手段と、
開口を有するとともに、この開口を被画像形成媒体から所定距離離間した位置に配置し、上記記録液を上記開口に向けて流通させる流路を規定した電極と、
上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した第２の部分を有する絶縁性の板状のガイド部材と、
上記収容手段内に収容された記録液を上記流路を介して上記開口へ供給する供給手段と、
所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、
を備えていることを特徴とする画像形成装置。
【請求項２】
帯電した色剤粒子を絶縁性液体中に分散して成る記録液を収容する収容手段と、
開口を有するとともに、この開口を被画像形成媒体から所定距離離間した位置に配置し、上記記録液を上記開口に向けて流通させる流路を規定した電極と、
上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、
上記収容手段内に収容された記録液を上記流路を介して上記開口へ供給する供給手段と、
所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、
上記第２の部分が上記被画像形成媒体に近接した頂点の角度が３０度以上９０度以下であることを特徴とする画像形成装置。
【請求項３】
帯電した色剤粒子を絶縁性液体中に分散して成る記録液を収容する収容手段と、
開口を有するとともに、この開口を被画像形成媒体から所定距離離間した位置に配置し、上記記録液を上記開口に向けて流通させる流路を規定した電極と、
上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、
上記収容手段内に収容された記録液を上記流路を介して上記開口へ供給する供給手段と、
所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、
上記第１の部分および第２の部分が上記開口から突出した長さは、上記電極の幅の半分以上２倍以下であることを特徴とする画像形成装置。
【請求項４】
帯電した色剤粒子を絶縁性液体中に分散して成る記録液を収容する収容手段と、
開口を有するとともに、この開口を被画像形成媒体から所定距離離間した位置に配置し、上記記録液を上記開口に向けて流通させる流路を規定した電極と、
上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、
上記収容手段内に収容された記録液を上記流路を介して上記開口へ供給する供給手段と、
所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、
上記第２の部分が上記被画像形成媒体に近接した頂点の角度が３０度以上９０度以下であり、且つ上記第１の部分および第２の部分が上記開口から突出した長さは、上記電極の幅の半分以上２倍以下であることを特徴とする画像形成装置。
【請求項５】
帯電した色剤粒子を絶縁性液体中に分散して成る記録液を収容する収容手段と、
開口を有するとともに、この開口を被画像形成媒体から所定距離離間した位置に配置し、上記記録液を上記開口に向けて流通させる流路を規定した電極と、
上記流路内に設けられ、上記開口の幅と略同じ幅を有するとともに上記開口から上記被画像形成媒体に向けて突出した矩形の第１の部分、およびこの第１の部分から上記被画像形成媒体に向けて収束されているとともに上記被画像形成媒体に近接した先端に上記被画像形成媒体と略平行に延びた上端を有する台形の第２の部分を有する絶縁性の板状のガイド部材と、
上記収容手段内に収容された記録液を上記流路を介して上記開口へ供給する供給手段と、
所定の画像信号に従って上記電極に電圧を印加することにより、上記記録液中の色剤粒子を上記第２の部分の上端付近に凝集させ、この凝集された色剤粒子を上記絶縁性液体から分離吐出させて上記被画像形成媒体上に色剤粒子によるドットを記録し、画像を形成する電圧印加手段と、を備え、
上記第２の部分の上端の長さは、上記被画像形成媒体上に記録された色剤粒子によるドット径より大きく該ドッと径の３倍以下であり、且つ上記電極の幅より小さいことを特徴とする画像形成装置。
【請求項６】
帯電した色剤粒子を絶縁性液体中に分散して成る記録液を収容する収容手段と、
開口を有するとともに、この開口を被画像形成媒体から所定距離離間した位置に配置し、上記記録液を上記開口に向けて流通させる流路を規定した電極と、
上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、
上記収容手段内に収容された記録液を上記流路を介して上記開口へ供給する供給手段と、
所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、
上記第２の部分が上記被画像形成媒体に近接した頂点の角度が３０度以上９０度以下であり、上記第１の部分および第２の部分が上記開口から突出した長さが上記電極の幅の半分以上２倍以下であり、上記第１の部分の表面には上記電極に導通した金属膜が被覆されていることを特徴とする画像形成装置。
【請求項７】
帯電した色剤粒子を絶縁性液体中に分散して成る記録液を収容する収容手段と、
開口を有するとともに、この開口を被画像形成媒体から所定距離離間した位置に配置し、上記記録液を上記開口に向けて流通させる流路を規定した電極と、
上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、
上記収容手段内に収容された記録液を上記流路を介して上記開口へ供給する供給手段と、
所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、
上記第２の部分が上記被画像形成媒体に近接した頂点の角度が３０度以上９０度以下であり、上記第１の部分および第２の部分が上記開口から突出した長さが上記電極の幅の半分以上２倍以下であり、上記第１の部分の表面には上記電極に導通した金属膜が被覆されており、上記金属膜の上記第２の部分に近接した端部が、上記第２の部分の頂点を中心とした円弧状をなしていることを特徴とする画像形成装置。
【請求項８】
帯電した色剤粒子を絶縁性液体中に分散して成る記録液を収容する収容手段と、
開口を有するとともに、この開口を被画像形成媒体から所定距離離間した位置に配置し、上記記録液を上記開口に向けて流通させる流路を規定した電極と、
上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、
上記収容手段内に収容された記録液を上記流路を介して上記開口へ供給する供給手段と、
所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、
上記第２の部分が上記被画像形成媒体に近接した頂点の角度が３０度以上９０度以下であり、上記第１の部分および第２の部分が上記開口から突出した長さが上記電極の幅の半分以上２倍以下であり、上記第１の部分の表面には上記電極に導通した第１の金属膜が被覆され、上記第２の部分の収束された端辺には上記第１の金属膜に導通した第２の金属膜が設けられていることを特徴とする画像形成装置。
【発明の詳細な説明】
【０００１】
【発明の属する技術分野】
この発明は、複写機やプリンタなどの画像形成装置に係り、特に、色剤粒子を絶縁性液体中に分散させてなる記録液に静電気力を作用させ、色剤粒子を飛翔させて画像を形成する画像形成装置に関する。
【０００２】
【従来の技術】
近年、パーソナルプリンタ分野ではインクジェット記録方式を用いたインクジェットプリンタが広く普及している。しかし、従来のインクジェットプリンタでは、染料性記録液を用いていることから、画像の保存性および耐光性が悪い、等の問題があった。
【０００３】
これに対し、既に、色剤として顔料粒子の使用を可能とし、染料性記録液の上記問題点を解決した画像形成装置がＷＯ９３／１１８６６号公報に開示されている。この装置は、導電性の記録液供給チューブを具備し、この記録液供給チューブに所定の電圧を印加することにより、記録液供給チューブとこの先端に対向する対向電極との間に所定の電界を形成する。そして、記録液供給チューブの電位と同極性に帯電した色剤粒子を含む記録液が記録液供給チューブに供給される。この際、記録液供給チューブの先端と対向電極との間には記録媒体が介在され、所定方向に搬送される。
【０００４】
記録液内の色剤粒子は、記録液供給チューブの先端と対向電極との間に形成された電界の影響により、記録液供給チューブの先端近傍の吐出ポイントで、対向電極から静電吸引力を受け、記録液供給チューブの先端近傍に半円球状のインクメニスカスが形成される。しかし、記録液の溶媒の表面張力により色剤粒子はインクメニスカスから飛翔することができず、インクメニスカスの先端に留まる。この様にして、多くの色剤粒子がインクメニスカスの先端に集まり、凝集物となる。
【０００５】
記録媒体を所定方向に搬送して記録液供給チューブに印加する電圧を更に上げると、記録液供給チューブの先端から対向電極に向う電界が強められ、記録液の溶媒の表面張力よりも凝集物に作用する静電吸引力が勝り、インクメニスカスから凝集物が分離し、対向電極との間に介在された記録媒体に向けて飛翔される。そして、インクメニスカスから飛翔された色剤粒子の凝集物により記録媒体上に所定の画像が形成される。
【０００６】
上述の飛翔原理に基づく画像形成装置では、染料性記録液を用いた従来のインクジェット記録のような飛翔小滴サイズを決定するノズルがないため、顔料粒子を用いることができる。このため、従来のインクジェットプリンタの問題点であった、画像の保存性、耐光性等の問題が解決される。
【０００７】
【発明が解決しようとする課題】
しかしながら、上述した装置では、インクメニスカスの先端に色剤粒子を凝集させて飛翔に十分な凝集物を形成するのに比較的多くの時間を要する。このため、凝集物を飛翔させる周波数が低くなり、記録周波数を高くできない問題がある。また、色剤粒子による凝集物がインクメニスカスから分離される際に、インクメニスカスに不所望な振動を生じ、記録周波数が低下される問題がある。このように、従来のプリンタでは、記録周波数を高めることができないため、高速記録を達成できない問題がある。
この発明は、以上の点に鑑みなされたもので、その目的は、高い記録周波数を有し、高速記録が可能な画像形成装置を提供することにある。
【０００８】
【課題を解決するための手段】
上記目的を達成するため、この発明のうち請求項１記載の画像形成装置は、帯電した色剤粒子を絶縁性液体中に分散して成る記録液を収容する収容手段と、開口を有するとともに、この開口を被画像形成媒体から所定距離離間した位置に配置し、上記記録液を上記開口に向けて流通させる流路を規定した電極と、上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した第２の部分を有する絶縁性の板状のガイド部材と、上記収容手段内に収容された記録液を上記流路を介して上記開口へ供給する供給手段と、所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備えている。
【０００９】
また、この発明のうち請求項２記載の画像形成装置は、帯電した色剤粒子を絶縁性液体中に分散して成る記録液を収容する収容手段と、開口を有するとともに、この開口を被画像形成媒体から所定距離離間した位置に配置し、上記記録液を上記開口に向けて流通させる流路を規定した電極と、上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、上記収容手段内に収容された記録液を上記流路を介して上記開口へ供給する供給手段と、所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、上記第２の部分が上記被画像形成媒体に近接した頂点の角度が３０度以上９０度以下であることを特徴とする。
【００１０】
また、この発明のうち請求項３記載の画像形成装置は、帯電した色剤粒子を絶縁性液体中に分散して成る記録液を収容する収容手段と、開口を有するとともに、この開口を被画像形成媒体から所定距離離間した位置に配置し、上記記録液を上記開口に向けて流通させる流路を規定した電極と、上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、上記収容手段内に収容された記録液を上記流路を介して上記開口へ供給する供給手段と、所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、上記第１の部分および第２の部分が上記開口から突出した長さは、上記電極の幅の半分以上２倍以下であることを特徴とする。
【００１１】
また、この発明のうち請求項４記載の画像形成装置は、帯電した色剤粒子を絶縁性液体中に分散して成る記録液を収容する収容手段と、開口を有するとともに、この開口を被画像形成媒体から所定距離離間した位置に配置し、上記記録液を上記開口に向けて流通させる流路を規定した電極と、上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、上記収容手段内に収容された記録液を上記流路を介して上記開口へ供給する供給手段と、所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、上記第２の部分が上記被画像形成媒体に近接した頂点の角度が３０度以上９０度以下であり、且つ上記第１の部分および第２の部分が上記開口から突出した長さは、上記電極の幅の半分以上２倍以下であることを特徴とする。
【００１２】
また、この発明のうち請求項５記載の画像形成装置は、帯電した色剤粒子を絶縁性液体中に分散して成る記録液を収容する収容手段と、開口を有するとともに、この開口を被画像形成媒体から所定距離離間した位置に配置し、上記記録液を上記開口に向けて流通させる流路を規定した電極と、上記流路内に設けられ、上記開口の幅と略同じ幅を有するとともに上記開口から上記被画像形成媒体に向けて突出した矩形の第１の部分、およびこの第１の部分から上記被画像形成媒体に向けて収束されているとともに上記被画像形成媒体に近接した先端に上記被画像形成媒体と略平行に延びた上端を有する台形の第２の部分を有する絶縁性の板状のガイド部材と、上記収容手段内に収容された記録液を上記流路を介して上記開口へ供給する供給手段と、所定の画像信号に従って上記電極に電圧を印加することにより、上記記録液中の色剤粒子を上記第２の部分の上端付近に凝集させ、この凝集された色剤粒子を上記絶縁性液体から分離吐出させて上記被画像形成媒体上に色剤粒子によるドットを記録し、画像を形成する電圧印加手段と、を備え、上記第２の部分の上端の長さは、上記被画像形成媒体上に記録された色剤粒子によるドット径より大きく該ドッと径の３倍以下であり、且つ上記電極の幅より小さいことを特徴とする。
【００１３】
また、この発明のうち請求項６記載の画像形成装置は、帯電した色剤粒子を絶縁性液体中に分散して成る記録液を収容する収容手段と、開口を有するとともに、この開口を被画像形成媒体から所定距離離間した位置に配置し、上記記録液を上記開口に向けて流通させる流路を規定した電極と、上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、上記収容手段内に収容された記録液を上記流路を介して上記開口へ供給する供給手段と、所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、上記第２の部分が上記被画像形成媒体に近接した頂点の角度が３０度以上９０度以下であり、上記第１の部分および第２の部分が上記開口から突出した長さが上記電極の幅の半分以上２倍以下であり、上記第１の部分の表面には上記電極に導通した金属膜が被覆されていることを特徴とする。
【００１４】
また、この発明のうち請求項７記載の画像形成装置は、帯電した色剤粒子を絶縁性液体中に分散して成る記録液を収容する収容手段と、開口を有するとともに、この開口を被画像形成媒体から所定距離離間した位置に配置し、上記記録液を上記開口に向けて流通させる流路を規定した電極と、上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、上記収容手段内に収容された記録液を上記流路を介して上記開口へ供給する供給手段と、所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、上記第２の部分が上記被画像形成媒体に近接した頂点の角度が３０度以上９０度以下であり、上記第１の部分および第２の部分が上記開口から突出した長さが上記電極の幅の半分以上２倍以下であり、上記第１の部分の表面には上記電極に導通した金属膜が被覆されており、上記金属膜の上記第２の部分に近接した端部が、上記第２の部分の頂点を中心とした円弧状をなしていることを特徴とする。
【００１５】
更に、この発明のうち請求項８記載の画像形成装置は、帯電した色剤粒子を絶縁性液体中に分散して成る記録液を収容する収容手段と、開口を有するとともに、この開口を被画像形成媒体から所定距離離間した位置に配置し、上記記録液を上記開口に向けて流通させる流路を規定した電極と、上記流路内に設けられ、上記開口の幅と略同じ幅を有するとともに上記開口から上記被画像形成媒体に向けて突出した矩形の第１の部分、およびこの第１の部分から上記被画像形成媒体に向けて収束した三角形の第２の部分を有する絶縁性の板状のガイド部材と、上記収容手段内に収容された記録液を上記流路を介して上記開口へ供給する供給手段と、所定の画像信号に従って上記電極に電圧を印加することにより、上記記録液中の色剤粒子を上記第２の部分の頂点付近に凝集させ、この凝集された色剤粒子を上記絶縁性液体から分離吐出させて上記被画像形成媒体上に画像を形成する電圧印加手段と、を備え、上記第２の部分が上記被画像形成媒体に近接した頂点の角度が３０度以上９０度以下であり、上記第１の部分および第２の部分が上記開口から突出した長さが上記電極の幅の半分以上２倍以下であり、上記第１の部分の表面には上記電極に導通した第１の金属膜が被覆され、上記第２の部分の収束された端辺には上記第１の金属膜に導通した第２の金属膜が設けられていることを特徴とする。
【００１６】
【発明の実施の形態】
以下、図面を参照しながらこの発明の実施の形態について詳細に説明する。
図１は、この発明の画像形成装置としてのインクジェットプリンタ１を概略的に示している。インクジェットプリンタ１は、画像信号に応じてインク滴を吐出させる記録ヘッド２０（後に詳述する）を備えている。記録ヘッド２０には、インクタンク２（収容手段）内に収容したインク（記録液）を記録ヘッド２０へ循環させるためのインク循環機構４（供給手段）が接続されている。記録ヘッド２０に循環されるインクは、絶縁性液体としてのキャリア液中に帯電された色剤粒子としてのトナー粒子などを分散して構成されている。
【００１７】
記録ヘッド２０のインク吐出位置前方には、被画像形成媒体としての記録用紙Ｐを所定方向に搬送させる搬送機構６が配設されている。記録用紙Ｐは、カセット８内に複数枚収容されており、給紙ローラ１２により１枚づつ供給される。各記録用紙Ｐは、ガイド１４に沿って導かれて記録ヘッド２０とプラテンローラ１６との間へ送られ、更に、ガイド１８に沿って導かれて搬送ローラ対１９に挟み込まれる。この状態から記録用紙Ｐは搬送ローラ対１９により一定速度で搬送され、この搬送速度に同期して記録ヘッド２０から画像信号に応じて吐出されるインク滴が記録用紙Ｐ上に吐出され、画像が形成される。
【００１８】
図２は、この発明の第１の実施の形態に係る記録ヘッド２０の断面図を概略的に示している。記録ヘッド２０は、パイプ状の導電体からなる記録電極２２、および記録電極２２の先端に形成された開口２２ａの中央からプラテンローラ１６（すなわち記録用紙Ｐ）に向けて突設された五角形のフィルム状の誘電体からなるガイド２４を有し、記録電極２２には画像信号に応じた記録電圧を印加するための電圧印加手段としての電源２６が接続されている。
【００１９】
そして、インクタンク２内に収容されたインクがインク循環機構４により記録電極２２の図示しない下端側から供給され、記録電極２２の中央のインク流路２２ｂを介して図中矢印方向に上昇され、開口２２ａからオーバーフローしたインクがインク循環機構４によりインクタンク２へ回収されるようになっている。
【００２０】
記録電極２２の先端には所定の幅を有する開口２２ａが形成され、記録電極２２の先端縁部はこの開口２２ａに向けて上方に傾斜されている。このように記録電極２２の先端を傾斜させることにより、インク流路２２ｂを介して供給されたインクが開口２２ａからオーバーフローする際にインクの流れをスムーズにすることができる。
【００２１】
また、ガイド２４は所定の厚さを有するフィルム状に形成され、記録電極２２の開口２２ａの幅と略同じ幅を有する矩形の第１の部分２４ａ、第１の部分２４ａの上端側に連続されて第１の部分２４ａから上方に向けて収束され、その収束された頂点にインクの吐出ポイントを形成した三角形の第２の部分２４ｂ、および第１の部分２４ａの下端側に連続された矩形の延出部分２４ｃを有する五角形に形成されている。尚、第２の部分の頂角θは、記録周波数を高めるため適切な角度（後述する）に設定されている。
【００２２】
延出部分２４ｃは、記録電極２２の開口２２ａより流路２２ｂ内に入り込んでおり、記録電極２２の開口２２ａから第２の部分の先端までの高さ、つまり第１および第２の部分を合計した高さｈが適切な高さ（後述する）となるように流路２２ｂ内に配置されている。尚、ガイド２４の形状は図２に示す五角形に限らず、図３に示すような形状とすることもできる。つまり、記録電極２２の先端開口２２ａから上方に突出した第１の部分が開口２２ａの幅と略同じ幅を有し、第２の部分２４ｂが先端の吐出ポイントに向けて収束された先細な形状であればいかなる形状であっても良く、板状に限ることもない。
【００２３】
また、記録電極２２に接続された電源２６は、直流電源２６ａおよびパルス電源２６ｂを有し、図示しない信号発生源より供給される画像信号に応じた記録電圧を記録電極２２に印加する。
【００２４】
尚、上記のような記録ヘッド２０は、通常、記録用紙Ｐの搬送方向を横切る方向に複数並んで設けられ、各記録電極に対して画像信号に応じた記録電圧を選択的に印加することにより各記録電極を選択的に駆動する図示しない駆動回路に接続されている。
【００２５】
次に、上記のように構成された記録ヘッド２０によるインク滴の飛翔動作について説明する。
図４は、電源２６を介して記録電極２２に対して記録電圧を印加した場合のインク３２の挙動を示している。記録ヘッド２０の先端、つまりガイド２４先端の吐出ポイントから所定距離離間した位置には、対向電極として作用する接地されたプラテンローラ１６が設けられ、ガイド２４の先端とプラテンローラ１６との間に被画像形成媒体としての記録用紙Ｐが介在され、プラテンローラ１６に沿って所定方向に搬送される。
【００２６】
記録電極２２内のインク流路２２ｂを介してインク３２が図中矢印方向に上昇されると、開口２２ａからオーバーフローしたインク３２が記録電極２２の外周に沿って流れ落ち、ガイド２４に対するインク３２の濡れ上がり（這い上がり）により記録ヘッド２０の先端近くに所定形状のインクメニスカス３１が形成される。この場合のインクメニスカス３１の形状は、インク３２の供給圧力、インク３２のガイド２４に対する濡れ性、およびインク３２の表面張力等により決定される。
【００２７】
特に、ガイド２４に対するインク３２の這い上がり量は、ガイド２４の形状に依存され、記録電極２２の先端の開口２２ａから突出されたガイド２４の周の長さが短くなる（突出されたガイド２４の面積が小さくなる）とインク３２の這い上がり量が少なくなる。例えば、本発明の五角形のガイドと比較して、三角形のガイドの場合では周の長さが比較的短くなり、インクの這い上がり量が比較的少なくなる。
【００２８】
このため、本実施の形態のガイド２４においては、記録電極２２の開口２２ａから矩形の周の長さが比較的長い第１の部分２４ａを突出させ、インクの這い上がり量を多くした。そして、第１の部分２４ａにより十分な量のインク３２を這い上がらせた上で、周の長さが比較的短い三角形の第２の部分２４ｂによってインクの這い上がり量を調整した。これにより、第１の部分２４ａによって良好に這い上がったインク３２が第２の部分２４ｂを這い上がる際に薄くされ、先端に向かって収束した略円錐形状のインクメニスカス３１が形成される。
【００２９】
このように、記録ヘッド２０の先端近くに円錐形のインクメニスカス３１が形成された状態で、電源２６を介して記録電極２２に所定のバイアス電圧Ｖｂを印加すると、記録電極２２の先端からプラテンローラ１６に向かう所定強度の電界が形成され、インクメニスカス３１の形状が図４（ａ）に示すように変化される。つまり、記録電極２２とプラテンローラ１６との間に形成された電界は、薄くされたインクメニスカス３１の先端近くに集中され、インクメニスカス３１の先端にトナー粒子３４が効率良く凝集され、インクメニスカス３１の先端が盛り上がった形状となる。尚、バイアス電圧の大きさはインクメニスカス３１の先端からトナー凝集物３５が飛翔することのない大きさに設定されている。
【００３０】
この状態で、電源２６を介して記録電極２２に上記バイアス電圧Ｖｂより大きい記録電圧Ｖｅｊを印加すると、バイアス電圧Ｖｂを印加したときより強い電界が形成され、図４（ｂ）に示すように、ガイド２４の先細にされた第２の部分の途中位置より上方にトナー粒子３４が更に集められ、この途中位置（インクが最も薄くなった部分）を節としてプラテンローラ１６に向けて盛り上がったインクメニスカス３１が形成される。
【００３１】
そして、トナー凝集物３５に作用する静電気力がインクメニスカス３１の表面張力を打ち破ると、図４（ｃ）に示すように、インク滴３８がインクメニスカス３１から分離され、プラテンローラ１６に向けて飛翔される。この際、インク滴３８は、インクメニスカス３１の節を境に分離される。この後、飛翔により不足したインクがインクメニスカス３１に補充され、記録ヘッド２０の先端のインクメニスカス３１は図４（ａ）に示す状態に戻される。
【００３２】
ところで、インク滴３８が上述のように分離・吐出される際の記録周波数は、インク滴３８の吐出時に作用される電界の強度、トナー粒子の濃縮度、インクの供給量、インク滴が分離される位置（節）でのインクの厚さ等により決定される。つまり、電界強度が強く、トナーの濃縮度が高く、インクの供給量が多く、節の厚さが薄い場合に記録周波数が高くなる。
【００３３】
本実施の形態のガイド２４は、記録電極２２の先端より突出した矩形の第１の部分２４ａと先細の第２の部分２４ｂとを組合わせた形状を有することから、ガイド２４に沿って形成されるインクメニスカス３１の先端近く、即ち第２の部分２４ｂに這い上がったインクの厚さが薄くなっている。
【００３４】
このため、インクメニスカス３１の先端へトナー粒子３４が効率良く凝集され、トナー粒子の濃縮度が高くなり、凝集されたトナー粒子に作用される電界強度が強くなり、インクメニスカス３１先端へのインク供給量が多くなる。また、インク滴３８が飛翔される際にインク滴３８が分離される位置、即ち上述した節がガイド２４の第２の部分の途中に形成されるため、インク滴３８の分裂位置でのインクの厚さは薄くなる。
【００３５】
従って、本実施の形態のガイド２４を用いると、記録周波数を高くすることができ、記録速度を速くすることができる。
ところで、上記のように高い記録周波数を達成するためには、記録電極２２の先端から突出した第１および第２の部分の高さｈ、および第２の部分の頂角θを適切な値に設定する必要がある。言い換えれば、高さｈおよび頂角θを適切に設定することにより、上述したように、十分な量のインクをガイド２４の先端まで良好に這い上がらせることができるとともに、ガイド２４先端のインクを薄くすることができる。
【００３６】
インク滴が分離・吐出される際には、分裂位置の両端を節としてインクメニスカスが振動するため、両端間の距離、即ち節の厚さが長い場合には振幅が大きくなり記録周波数が低下される。従って、記録解像度に応じたインク滴を形成し、且つ記録周波数を高くするためには、インクメニスカスの節の厚さをできるだけ薄くして分裂位置の長さを短くすることが望ましい。
【００３７】
本実施の形態の記録ヘッド２０では、ガイド２４の第２の部分２４ｂを先細にしてインクメニスカスの節の厚さを薄くしているが、この節の厚さは第２の部分２４ｂの頂角によって変化する。従って、第２の部分２４ｂの頂角は、適切な角度に設定されている。
【００３８】
図５には、ガイド２４の先端、つまり第２の部分２４ｂの先端の頂角を変化させた場合のインク滴の分裂周波数（記録周波数）の変化の一例を示している。尚、この例では、記録解像度１６本／ｍｍ、ドット径約７０μｍ、インク滴径約３５μｍとした場合の記録周波数の変化を示した。
【００３９】
これによると、ガイド２４の頂角が３０度よりも小さい場合と９０度よりも大きい場合には、インクメニスカスの振動に起因したものと考えられる記録周波数の低下が見られ、この場合のドット径は１５０μｍ程度と大きくなった。逆に、ガイド２４の頂角を３０度以上９０度以下に設定した場合には、ガイド２４の先端の突出ポイントからインク滴が分離される記録周波数が高くなった。
【００４０】
従って、ガイド２４の第２の部分２４ｂの先端を収束させ、且つ収束された先端の頂角を３０°≦θ≦９０°とすることにより、記録解像度に応じたインク滴を高速に吐出することができることがわかった。
【００４１】
また、ガイド２４の先端に十分な量のインクを供給し、且つガイド２４の先端に薄いインクメニスカスを形成するためには、記録電極２２の先端から突出した第１および第２の部分２４ａ、２４ｂを合計した高さｈを適切な値に設定する必要がある。
【００４２】
図６には、ガイド２４の突出量ｈ（高さ）を変化させた場合の記録周波数の変化の一例を示してある。尚、この例では、記録電極２２の径を６００μｍとした。
【００４３】
これによると、ガイド２４の突出量が３００μｍ（記録電極２２の径の１／２）より小さくなると、記録周波数が急激に低下されていることがわかる。これは、ガイドの突出量が低いためガイド２４全体がインクで覆われてしまい、ガイド２４の先端のインクメニスカスを薄く形成することができないため、インク滴を分離・吐出させる際にインク全体が振動してしまうことに起因していると考えられる。
【００４４】
また、ガイド２４の突出量が１２００μｍ（記録電極２２の径の２倍）を超えると、記録周波数が徐々に低下されていることがわかる。つまり、記録電極２２の開口２２ａから溢れたインクはガイド２４に対する濡れ上がりによりガイド２４の先端まで供給されるが、ガイド２４の突出量が記録電極２２の径の２倍を超える場合にはインクがガイド２４の先端まで良好に這い上がらない。このため、吐出ポイントへのインクの供給がスムーズに行われずに記録周波数が低下されるものと考えられる。
【００４５】
これに対し、ガイド２４の突出量ｈが３００μｍ以上１２００μｍ以下である場合には、ガイド２４先端への十分な量のインクの供給、およびガイド２４先端での薄いメニスカスの形成を両立させることができ、高い記録周波数を達成できる。
【００４６】
従って、ガイド２４の突出量ｈを記録電極２２の径Ｗに対して、Ｗ／２≦ｈ≦２Ｗの範囲内に設定することにより、高い記録周波数を達成でき、高速記録が可能となる。
【００４７】
次に、この発明の第２の実施の形態に係る記録ヘッド４０ついて説明する。尚、基本的な構成は上記第１の実施の形態と同じであるので、第１の実施の形態と同一の部分については同一符号を用いて説明を省略し、第１の実施の形態と異なる部分についてのみ説明する。
【００４８】
図７に示すように、記録ヘッド４０は、記録電極２２の開口２２ａの径と略同じ幅Ｗの矩形の第１の部分４４ａと、この第１の部分４４ａから上方に向けて収束されているとともにその収束された先端が記録用紙Ｐ（図示せず）と平行に切断された上端４４１（長さＬ）を有する台形の第２の部分４４ｂと、を有するガイド４４を備えている。
【００４９】
上記のように構成された記録ヘッド４０において、図８に示すように、記録電極２２内のインク流路２２ｂを介してインク３２が図中矢印方向に上昇されると、開口２２ａからオーバーフローしたインク３２が記録電極２２の外周に沿って流れ落ち、ガイド４４に対するインク３２の濡れ上がり（這い上がり）により記録ヘッド４０の先端近くにインクメニスカス４１が形成される。
【００５０】
インクメニスカス４１の形状はガイド４４の形状によって決定される。本実施の形態においては、矩形の第１の部分４４ａをつたって良好に這い上がったインクが台形の第２の部分４４ｂによって薄くされるとともに、第２の部分４４ｂの上端４４１まで這い上がる。従って、ガイド４４に沿って形成されるインクメニスカス４１の形状は、ガイド４４の上端４４１を含む面を上面とした略円錐台形となる。
【００５１】
このように、記録ヘッド４０の先端近くに円錐台形のインクメニスカス４１が形成された状態で、電源２６を介して記録電極２２に所定のバイアス電圧Ｖｂを印加すると、記録電極２２の先端からプラテンローラ１６に向かう所定強度の電界が形成され、インクメニスカス４１の形状が図８（ａ）に示すように変化される。つまり、記録電極２２とプラテンローラ１６との間に形成された電界は、薄くされたインクメニスカス４１の先端近くに集中され、インクメニスカス４１の先端にトナー粒子３４が効率良く凝集され、インクメニスカス４１の先端が盛り上がった形状となる。尚、バイアス電圧Ｖｂは、インクメニスカス４１の先端からトナー凝集物３５が飛翔することのない大きさに設定されている。
【００５２】
この状態で、電源２６を介して記録電極２２に上記バイアス電圧Ｖｂより大きい記録電圧Ｖｅｊを印加すると、バイアス電圧Ｖｂを印加したときより強い電界が形成され、図８（ｂ）に示すように、ガイド４４の上端４４１より上方にトナー粒子３４が更に集められ、ガイド４４の上端４４１を節としてプラテンローラ１６に向けて盛り上がったインクメニスカス４１が形成される。
【００５３】
そして、トナー凝集物３５に作用する静電気力がインクメニスカス４１の表面張力を打ち破ると、図８（ｃ）に示すように、インク滴３８がインクメニスカス４１から分離され、プラテンローラ１６に向けて飛翔される。この際、インク滴３８は、インクメニスカス４１の節（ガイド４４の上端４４１）を境に分離される。この後、飛翔により不足したインクがインクメニスカス４１に補充され、記録ヘッド４０の先端のインクメニスカス４１は図８（ａ）に示す状態に戻される。
【００５４】
ところで、インク滴３８がインクメニスカス４１から分離・吐出される際には、インクの分裂位置に振動を生じる。本実施の形態においては、ガイド４４の上端４４１の長さを適切な値に設定することによりインクの分裂位置の長さを調整し、インクの振動を安定させている。つまり、インクは分裂位置の両端を節として振動されることから、ガイド４４の上端４４１の長さを変えることにより分裂位置でのインクの振動数を変えることができ、記録周波数を変えることができる。
【００５５】
また、インクメニスカス４１から分離・吐出されるインク滴３８のドット径は、分裂位置の長さによって決定されるため、ガイド４４の上端４４１の長さを変えることによりインク滴３８のドット径を所望の値に安定させることができる。
【００５６】
従って、記録解像度に応じた安定したドット径を有するインク滴を形成し、且つ高い記録周波数を達成するためには、ガイド４４の上端４４１の長さを適切な範囲に設定する必要がある。
【００５７】
図９は、ガイド上端４４１の長さＬを種々変化させた場合のインク滴のドット径Ｒｄ、および記録周波数の変化の一例を示すグラフである。尚、この例では、記録解像度１６本／ｍｍ、ドット径７０μｍ、インク滴径約３５μｍとした。
【００５８】
これによると、ガイド上端４４１の長さが７０μｍ（ドット径に相当）よりも短いと、高い記録周波数を達成できる反面、ドット径にばらつきが多くなる。また、ガイド上端４４１の長さが２１０μｍ（ドット径の３倍に相当）よりも長いと、インク全体が振動してしまい、記録周波数が大きく低下され、ドット径が大きくなってしまう。よって、ガイド上端４４１の長さＬは、Ｒｄ≦Ｌ≦３Ｒｄの範囲に設定することが望ましい。
【００５９】
また、インクメニスカス４１先端を薄くするため、ガイド４４の第２の部分４４ｂを先細の形状とする必要があることから、ガイド４４の最大幅Ｗに対して上端４４１の長さＬは、Ｌ＜Ｗとならなければならない。
【００６０】
従って、ガイド上端４４１の長さＬを、Ｒｄ≦Ｌ≦３Ｒｄの範囲に設定し、且つＬ＜Ｗとすることにより、記録解像度に応じた安定したドット径を有するインク滴を形成でき、且つ高い記録周波数を達成できる。
【００６１】
次に、この発明の第３の実施の形態に係る記録ヘッド５０ついて説明する。
図１０に示すように、記録ヘッド５０は、第１の部分５４ａおよび延出部分５４ｃの表面上に記録電極２２に導通した金属膜５２を被覆したガイド５４を備えており、これ以外の構成は上記第１の実施の形態と同じ構成を有している。従って、第１の実施の形態と同一の部分については同一符号を用いて説明を省略する。
【００６２】
図１１に示すように、記録電極２２の流路２２ｂを介してインクが供給されると、ガイド５４に沿った形状のインクメニスカス５１が形成される。この状態で、電源２６を介して記録電極２２にバイアス電圧Ｖｂを印加すると、図１１（ａ）に示すようにインクメニスカス５１の先端近くにトナー粒子３４が凝集され、インクメニスカス５１が膨らんだ形状となる。
【００６３】
そして、図１１（ｂ）に示すようにバイアス電圧Ｖｂより高い記録電圧Ｖｅｊを記録電極２２に印加すると、図１１（ｃ）に示すようにガイド５４の第２の部分５４ｂの途中に形成された節を境にインク滴３８が分離され、記録用紙Ｐに向けて飛翔される。
【００６４】
本実施の形態においては、ガイド５４が第１の部分５４ａと第２の部分５４ｂとの間の境界まで延びた金属膜５２を備えているため、上述した第１の実施の形態の記録ヘッド２０と比較して、記録用紙Ｐ（プラテンローラ１６）との間に作用される電界強度を強くすることができる。つまり、記録電極２２の先端から記録用紙Ｐまでの距離Ｄより金属膜５２の上端（第１および第２の部分の境界）から記録用紙Ｐまでの距離Ｄ´の方が短くなることから、同じ電圧を与えた場合、金属膜５２を設けた方が電界強度を強めることができる。
【００６５】
また、ガイド５４に金属膜５２を設けることにより、金属膜５２と記録用紙Ｐとの間の距離、および金属膜５２とインクの吐出ポイントとの間の距離を短くできることから、記録電極２２に印加するインク滴の飛翔に必要な電圧を低くすることができる。
【００６６】
従って、ガイド５４の第１の部分５４ａを被覆する金属膜５２を設けることにより、低い電圧でインク滴を飛翔させることができるとともに、インク滴に作用される電界の強度を高めることができ、インク滴の吐出周波数を高めることができ、高速記録が可能となる。
【００６７】
図１２には、この発明の第４の実施の形態の記録ヘッド６０を示している。この記録ヘッド６０は、上述した第３の実施の形態の記録ヘッド５０における金属膜５２の上端（第１および第２の部分の境界に位置した端部）を下に凸に湾曲させた形状の金属膜５２´を有している。金属膜５２´の上端５２ａは、第２の部分５４ｂの頂点に向かって収束した曲線を形成している。
【００６８】
このように、金属膜５２´の上端５２ａを湾曲させることにより、上述した第２の実施の形態の記録ヘッド５０を用いた場合と同様の効果を得ることができるとともに、金属膜５２´から記録用紙Ｐに向かう電界をガイド５４の第２の部分の頂点に効率良く向かわせることができ、吐出ポイントへトナー粒子を効率良く凝集でき、インク滴の吐出周波数をより高めることができ、より高速な記録が可能となる。
【００６９】
次に、この発明の第５の実施の形態に係る記録ヘッド７０について説明する。図１３に示すように、記録ヘッド７０は、第１の部分７４ａおよび延出部分７４ｃの表面上に記録電極２２に導通した第１の金属膜７２を被覆しているとともに、第２の部分７４ｂの収束した２つの端面上に第１の金属膜７２に連続された第２の金属膜７３を被覆したガイド７４を備えており、これ以外の構成は上記第１の実施の形態の記録ヘッド２０と同じ構成を有している。従って、第１の実施の形態と同一の部分については同一符号を用いて説明を省略する。
【００７０】
図１４に示すように、記録電極２２の流路２２ｂを介してインクが供給されると、ガイド７４に沿った形状のインクメニスカス７１が形成される。この状態で、電源２６を介して記録電極２２にバイアス電圧Ｖｂを印加すると、図１４（ａ）に示すようにインクメニスカス７１の先端近くにトナー粒子３４が凝集され、インクメニスカス７１が膨らんだ形状となる。この場合、ガイド７４の第２の部分７４ｂの両面には金属膜が設けられていないので第２の部分７４ｂの表面から外側に向かう電界が形成されることがない。このため、第２の部分７４ｂに沿って這い上がったインクが必要以上に膨らむことがない。
【００７１】
そして、図１４（ｂ）に示すようにバイアス電圧Ｖｂより高い記録電圧Ｖｅｊを記録電極２２に印加すると、図１４（ｃ）に示すようにガイド７４の第２の部分７４ｂの途中に形成された節を境にインク滴３８が分離され、記録用紙Ｐに向けて飛翔される。
【００７２】
本実施の形態においては、ガイド７４が第１の部分７４ａと第２の部分７４ｂとの間の境界まで延びた第１の金属膜７２を備えているとともに、第２の部分７４ｂの収束した端面に第２の金属膜を備えている。つまり、ガイド７４先端の吐出ポイントまで金属膜が設けられている。このため、記録電極２２に印加された電圧がガイド７４の先端の吐出ポイントにそのまま印加されることになり、吐出ポイントに電界を集中させることができる。
【００７３】
従って、上述した第３の実施の形態の記録ヘッド５０と比較して、インクの吐出ポイントに作用される電界強度をより強くすることができ、より低い電圧でインク滴を飛翔させることができるとともに、インク滴に作用される電界の強度を高めることができ、インク滴の吐出周波数を高めることができ、高速記録が可能となる。
尚、この発明は、上述した実施の形態に限定されるものではなく、この発明の範囲内で種々変形可能である。
【００７４】
【発明の効果】
以上説明したように、この発明の画像形成装置は、上記のような構成および作用を有しているので、インク滴の吐出周波数を高めることができ、高速記録が可能となる。
【図面の簡単な説明】
【図１】図１は、この発明の画像形成装置としてのインクジェットプリンタを示す概略図。
【図２】図２は、図１のインクジェットプリンタに組み込まれた第１の実施の形態に係る記録ヘッドを示す断面図。
【図３】図３は、図２の記録ヘッドに組み込まれたガイドの変形例を示す正面図。
【図４】図４は、図２の記録ヘッドにおけるインクの飛翔動作を説明するための動作説明図。
【図５】図５は、ガイド先端の頂角に対する記録周波数の変化を示すグラフ。
【図６】図６は、ガイドの突出量に対する記録周波数の変化を示すグラフ。
【図７】図７は、この発明の第２の実施の形態に係る記録ヘッドを示す断面図。
【図８】図８は、図７の記録ヘッドにおけるインクの飛翔動作を説明するための動作説明図。
【図９】図９は、図７の記録ヘッドのガイド上端の長さに対するインク滴のドット径および記録周波数の変化を示すグラフ。
【図１０】図１０は、この発明の第３の実施の形態に係る記録ヘッドを示す断面図。
【図１１】図１１は、図１０の記録ヘッドにおけるインクの飛翔動作を説明するための動作説明図。
【図１２】図１２は、この発明の第４の実施の形態に係る記録ヘッドを示す断面図。
【図１３】図１３は、この発明の第５の実施の形態に係る記録ヘッドを示す断面図。
【図１４】図１４は、図１３の記録ヘッドにおけるインクの飛翔動作を説明するための動作説明図。
【符号の説明】
１…インクジェットプリンタ、
１６…プラテンローラ、
２０…記録ヘッド、
２２…記録電極、
２２ａ…開口、
２２ｂ…インク流路、
２４…ガイド、
２４ａ…第１の部分、
２４ｂ…第２の部分、
２６…電源、
Ｐ…記録用紙。
【図１】
0003591998.tif 000002
【図２】
0003591998.tif 000003
【図３】
0003591998.tif 000004
【図４】
0003591998.tif 000005
【図５】
0003591998.tif 000006
【図６】
0003591998.tif 000007
【図７】
0003591998.tif 000008
【図８】
0003591998.tif 000009
【図９】
0003591998.tif 000010
【図１０】
0003591998.tif 000011
【図１１】
0003591998.tif 000012
【図１２】
0003591998.tif 000013
【図１３】
0003591998.tif 000014
【図１４】
0003591998.tif 000015